(57)【要約】【課題】放送型メディアからの広告情報について、配信先や転送先のユーザが利用し易いように、ユーザに適合した形にカスタマイズすることができる携帯端末装置及び広告情報カスタマイズ方法を提供すること。【解決手段】ワンセグ放送データに含まれるトルカデータを放送用メモリ１８に格納するか、店舗側端末５から取得する。次いで、ユーザの操作により情報サーバ８から上記トルカデータに関連する情報をダウンロードし、管理部１７が、放送用メモリ１８に格納されたトルカデータに情報サーバ８からダウンロードした情報を組み合わせてカスタマイズする。そして、カスタマイズされたトルカデータが携帯端末１Ｂに送信された後に、店舗側端末５で利用される。【選択図】図３
2008065415.tif 000002
【特許請求の範囲】
【請求項１】
非接触ＩＣカード機能用広告情報を含む携帯端末向け映像／データ放送サービス用のデータを受信すると共に情報サーバから前記非接触ＩＣカード機能用広告情報に関連する情報を受信する通信制御手段と、前記非接触ＩＣカード機能用広告情報を格納する放送用メモリと、前記非接触ＩＣカード機能用広告情報と前記情報とを組み合わせてカスタマイズされた非接触ＩＣカード機能用広告情報とする情報管理手段と、を具備することを特徴とする携帯端末装置。
【請求項２】
非接触ＩＣカード機能用広告情報を取得する非接触通信手段と、情報サーバから前記非接触ＩＣカード機能用広告情報に関連する情報を受信する通信制御手段と、前記非接触ＩＣカード機能用広告情報と前記情報とを組み合わせてカスタマイズされた非接触ＩＣカード機能用広告情報とする情報管理手段と、を具備することを特徴とする携帯端末装置。
【請求項３】
前記情報が非接触ＩＣカード機能用広告情報の受け渡し先のユーザに適合するような情報であり、前記情報管理手段は、受け渡し先のユーザに適合するように非接触ＩＣカード機能用広告情報をカスタマイズすることを特徴とする請求項１又は請求項２記載の携帯端末装置。
【請求項４】
前記情報は、前記受け渡し先のユーザのエリア又は前記受け渡し先のユーザの端末機能に適合するような情報であることを特徴とする請求項３記載の携帯端末装置。
【請求項５】
非接触ＩＣカード機能用広告情報を含む携帯端末向け映像／データ放送サービス用のデータのうち前記非接触ＩＣカード機能用広告情報を放送用メモリに格納する工程と、情報サーバから前記非接触ＩＣカード機能用広告情報に関連する情報を受信する工程と、前記非接触ＩＣカード機能用広告情報と前記情報とを組み合わせてカスタマイズされた非接触ＩＣカード機能用広告情報を作成する工程と、を具備することを特徴とする広告情報カスタマイズ方法。
【請求項６】
非接触ＩＣカード機能用広告情報を非接触通信により取得する工程と、情報サーバから前記非接触ＩＣカード機能用広告情報に関連する情報を受信する工程と、前記非接触ＩＣカード機能用広告情報と前記情報とを組み合わせてカスタマイズされた非接触ＩＣカード機能用広告情報を作成する工程と、を具備することを特徴とする広告情報カスタマイズ方法。
【請求項７】
前記情報が非接触ＩＣカード機能用広告情報の受け渡し先のユーザに適合するような情報であり、非接触ＩＣカード機能用広告情報が受け渡し先のユーザに適合するようにカスタマイズされることを特徴とする請求項５又は請求項６記載の広告情報カスタマイズ方法。
【請求項８】
前記情報は、前記受け渡し先のユーザのエリア又は前記受け渡し先のユーザの端末機能に適合するような情報であることを特徴とする請求項７記載の広告情報カスタマイズ方法。
【発明の詳細な説明】
【技術分野】
【０００１】
本発明は、携帯端末向け映像／データ放送、いわゆるワンセグ放送対応の携帯端末装置及びその携帯端末装置における広告情報カスタマイズ方法に関する。
【背景技術】
【０００２】
近年、放送型メディアから携帯端末に対して広告情報を配信する技術が開発されている。例えば、特許文献１には、携帯端末である走行車両に対して、放送型メディアによる“プッシュ型”の広告情報を提供する広告情報提供システムが開示されている。
【特許文献１】特開２００２−２１５６３９号公報
【発明の開示】
【発明が解決しようとする課題】
【０００３】
最近、携帯端末向け映像／データ放送、いわゆるワンセグ放送が開始され、放送型メディアから映像やデータが送信されるようになってきている。そして、このワンセグ放送対応の携帯端末が開発されてきている。このようなワンセグ放送対応の携帯端末においても、ワンセグ放送で広告情報が配信されることが考えられる。しかしながら、上記特許文献１における広告情報は、配信先のユーザに個々に適合した情報になっていない。これらの広告情報について、配信先や転送先のユーザが利用し易いように、ユーザに適合した形にカスタマイズしたいという要求があるが、それに対応できる携帯端末が存在していないのが現状である。
【０００４】
本発明はかかる点に鑑みてなされたものであり、放送型メディアからの広告情報について、配信先や転送先のユーザが利用し易いように、ユーザに適合した形にカスタマイズすることができる携帯端末装置及び広告情報カスタマイズ方法を提供することを目的とする。
【課題を解決するための手段】
【０００５】
本発明の携帯端末装置は、非接触ＩＣカード機能用広告情報を含む携帯端末向け映像／データ放送サービス用のデータを受信すると共に情報サーバから前記非接触ＩＣカード機能用広告情報に関連する情報を受信する通信制御手段と、前記非接触ＩＣカード機能用広告情報を格納する放送用メモリと、前記非接触ＩＣカード機能用広告情報と前記情報とを組み合わせてカスタマイズされた非接触ＩＣカード機能用広告情報とする情報管理手段と、を具備することを特徴とする。
【０００６】
本発明の携帯端末装置は、非接触ＩＣカード機能用広告情報を取得する非接触通信手段と、情報サーバから前記非接触ＩＣカード機能用広告情報に関連する情報を受信する通信制御手段と、前記非接触ＩＣカード機能用広告情報と前記情報とを組み合わせてカスタマイズされた非接触ＩＣカード機能用広告情報とする情報管理手段と、を具備することを特徴とする。
【０００７】
これらの構成によれば、一つの非接触ＩＣカード機能用広告情報に対して、種々の情報を組み合わせてカスタマイズすることができるので、受け渡し先の個々のユーザの嗜好や属性に応じて個別にカスタマイズをすることができる。その結果、非接触ＩＣカード機能用広告情報を受け取るユーザに対してユーザフレンドリーな非接触ＩＣカード機能用広告情報を提供することが可能となる。
【０００８】
本発明の携帯端末装置においては、前記情報が非接触ＩＣカード機能用広告情報の受け渡し先のユーザに適合するような情報であり、前記情報管理手段は、受け渡し先のユーザに適合するように非接触ＩＣカード機能用広告情報をカスタマイズすることが好ましい。この場合において、前記情報は、前記受け渡し先のユーザのエリア又は前記受け渡し先のユーザの端末機能に適合するような情報であることが好ましい。
【０００９】
本発明の広告情報カスタマイズ方法は、非接触ＩＣカード機能用広告情報を含む携帯端末向け映像／データ放送サービス用のデータのうち前記非接触ＩＣカード機能用広告情報を放送用メモリに格納する工程と、情報サーバから前記非接触ＩＣカード機能用広告情報に関連する情報を受信する工程と、前記非接触ＩＣカード機能用広告情報と前記情報とを組み合わせてカスタマイズされた非接触ＩＣカード機能用広告情報を作成する工程と、を具備することを特徴とする。
【００１０】
本発明の広告情報カスタマイズ方法は、非接触ＩＣカード機能用広告情報を非接触通信により取得する工程と、情報サーバから前記非接触ＩＣカード機能用広告情報に関連する情報を受信する工程と、前記非接触ＩＣカード機能用広告情報と前記情報とを組み合わせてカスタマイズされた非接触ＩＣカード機能用広告情報を作成する工程と、を具備することを特徴とする。
【００１１】
これらの方法によれば、一つの非接触ＩＣカード機能用広告情報に対して、種々の情報を組み合わせてカスタマイズすることができるので、受け渡し先の個々のユーザの嗜好や属性に応じて個別にカスタマイズをすることができる。その結果、非接触ＩＣカード機能用広告情報を受け取るユーザに対してユーザフレンドリーな非接触ＩＣカード機能用広告情報を提供することが可能となる。
【００１２】
本発明の広告情報カスタマイズ方法においては、前記情報が非接触ＩＣカード機能用広告情報の受け渡し先のユーザに適合するような情報であり、非接触ＩＣカード機能用広告情報が受け渡し先のユーザに適合するようにカスタマイズされることが好ましい。この場合において、前記情報は、前記受け渡し先のユーザのエリア又は前記受け渡し先のユーザの端末機能に適合するような情報であることが好ましい。
【発明の効果】
【００１３】
本発明の携帯端末装置によれば、非接触ＩＣカード機能用広告情報を含む携帯端末向け映像／データ放送サービス用のデータのうち前記非接触ＩＣカード機能用広告情報を放送用メモリに格納し、あるいは、非接触通信で非接触ＩＣカード機能用広告情報を取得し、情報サーバから前記非接触ＩＣカード機能用広告情報に関連する情報を受信し、前記非接触ＩＣカード機能用広告情報と前記情報とを組み合わせてカスタマイズされた非接触ＩＣカード機能用広告情報を作成するので、放送型メディアからの広告情報について、配信先や転送先のユーザが利用し易いように、ユーザに適合した形にカスタマイズすることができる。
【発明を実施するための最良の形態】
【００１４】
以下、本発明の実施の形態について、添付図面を参照して詳細に説明する。ここでは、非接触ＩＣカード機能用広告情報がトルカ（登録商標）データである場合について説明する。
【００１５】
図１は、本発明の実施の形態に係る携帯端末装置を用いた広告情報カスタマイズ方法を説明するための概略構成を示す図である。図１に示すシステムは、携帯端末１Ａ，１Ｂと、この携帯端末１Ａ，１Ｂと移動通信網２を介して接続された移動通信センター３と、移動通信センター３とインターネット４のようなネットワークを介して接続された決済会社６及びトルカコンテンツサーバ７と、携帯端末１Ａ，１Ｂと非接触通信を行うリーダライタ（Ｒ／Ｗ）５１を有する店舗側端末５と、種々の情報を提供する情報サーバ８と、放送会社９からの放送データを放送する放送局１０とから主に構成されている。
【００１６】
携帯端末１Ａ，１Ｂは、移動通信網２及びインターネット４を介してトルカコンテンツサーバ７や情報サーバ８との間で情報の送受信を行うことができる。また、携帯端末１Ａ，１Ｂは、携帯端末向け映像／データ放送サービス（ワンセグサービス）対応の端末であり、放送局１０から放送されたワンセグ放送用のデータを受信することができる。また、携帯端末１Ａ，１Ｂは、店舗側端末５のＲ／Ｗ５１との間で非接触通信を行うことができる。また、携帯端末１Ａ，１Ｂは、両者間で赤外線通信、Bluetooth通信、光通信のような近距離通信を行うことができる。
【００１７】
また、携帯端末１Ａ，１Ｂは、オペレーティングシステム（移動機ＯＳ）を有しており、移動機ＯＳ上でブラウザ機能、ビューワ機能、ＪＡＭ（Java（登録商標） Application Manager）その他の機能が動作する。
【００１８】
移動通信網２は、携帯端末１と移動通信センター３との間のネットワークである。この移動通信網２には、通常の移動通信網に加えて移動パケット通信網も含まれる。移動通信網センター３は、例えばｉモード（登録商標）サーバなどを有すると共に、移動通信網２とインターネット４とを結ぶゲートウェイ機能を担っており、具体的には、情報配信機能、メール送受信機能、メール蓄積機能、契約顧客管理機能、情報提供者（Information Provider）管理機能、及び情報料課金機能を有する。ネットワークには、インターネット４をはじめその他のネットワーク、例えばＬＡＮやＷＡＮなども含まれる。
【００１９】
店舗側端末５は、そのＲ／Ｗ５１と携帯端末１Ａ，１Ｂとの間で非接触通信が行われて店舗において利用されると、決済会社６との間で決済処理を行う。また、トルカコンテンツサーバ７は、携帯端末１Ａ，１Ｂとの間でトルカアプリケーションを起動させて、トルカデータを携帯端末１Ａ，１Ｂに配信する。また、情報サーバ８は、携帯端末１Ａ，１Ｂとの間でアプリケーションを起動させて、種々の情報を携帯端末１Ａ，１Ｂに配信する。放送会社９は、携帯端末１Ａ，１Ｂに放送するワンセグ放送データを放送局１０に送る。
【００２０】
図２は、図１に示す携帯端末１Ａ，１Ｂの概略構成を示すブロック図である。なお、図２に示す構成は、本発明を説明するために簡略化したものであり、通常の携帯端末に搭載される構成要素は備えているものとする。
【００２１】
携帯端末１Ａ，１Ｂは、装置全体を制御する制御部１１と、移動通信センター３を介してトルカコンテンツサーバ７や情報サーバ８との間で通信を行うと共に、放送局１０からのワンセグ放送データを受信する通信制御部１２と、種々のデータや情報を表示する表示部１３と、装置に搭載され、あるいはダウンロードされた種々のアプリケーションを起動するアプリ制御部１４と、店舗側端末５のＲ／Ｗ５１との間で非接触通信を行う非接触通信部１５と、携帯端末１Ａ，１Ｂやコンピュータと近距離通信を行う近距離通信部１６と、トルカデータとこのトルカデータに関連する情報とを組み合わせてカスタマイズされたトルカデータを作成する管理部１７と、ワンセグ放送データに含まれるトルカデータを一旦格納する放送用メモリ１８と、カスタマイズされたトルカデータをはじめとするトルカデータを格納するトルカ用メモリ１９とから主に構成されている。
【００２２】
通信制御部１２は、ワンセグ放送用アプリケーションが起動している際に、放送局１０からのワンセグ放送データを受信する。また、通信制御部１２は、移動通信センター３を介して他の携帯端末に対して通信を行うと共に、移動通信センター３及びインターネット４を介してトルカコンテンツサーバ７や情報サーバ８、その他のサーバ、コンピュータとの間で通信を行う。なお、本明細書においては、通信には放送が含まれるものとし、放送局からの放送データの受信と、無線通信におけるデータの送受信とを通信制御部１２で行うものとするが、これに限定されず、放送データの受信を行う処理部と、無線通信のデータを送受信する処理部とを個々に設けても良い。
【００２３】
アプリ制御部１４は、装置に搭載され、あるいはダウンロードされたワンセグ放送用アプリケーション、情報ダウンロードアプリケーション、FeliCa（登録商標）アプリケーション、トルカアプリケーションを起動させる。ワンセグ放送用アプリケーションは、ＢＭＬ（Broadcast  Markup  Language）ブラウザであり、ワンセグ放送データのＢＭＬ言語を解釈し、表示部１３に表示するアプリケーションである。情報ダウンロードアプリケーションは、情報サーバ８から種々の情報を携帯端末１Ａ，１Ｂにダウンロードするアプリケーションである。FeliCaアプリケーションは、後述する非接触通信部１５のFeliCaチップに対してサービスの登録や削除を行うアプリケーション、FeliCaチップからバリューや履歴を読み書きするアプリケーション、及び携帯端末１Ａ，１ＢがＲ／Ｗ５１にかざされた際に通信を行うために直接起動するアプリケーションである。トルカアプリケーションは、トルカデータを取得する際に起動し、取得したトルカデータをトルカ用メモリ１９に格納するアプリケーションである。
【００２４】
非接触通信部１５は、非接触通信機能、例えばFeliCa機能を備えており、FeliCaチップ、アンテナとを有しており、店舗側端末５のＲ／Ｗ５１にかざすことにより、情報の読み書きを行う。すなわち、携帯端末１Ａ，１Ｂの非接触通信部１５をかざすと、FeliCaアプリケーションが起動して、FeliCaチップの特定の領域に情報を書き込み、特定の領域から情報を読み出す。また、携帯端末１Ａの非接触通信部１５と携帯端末１Ｂの非接触通信部１５との間で非接触通信を行うことによりデータや情報の送受信を行うことができる。
【００２５】
近距離通信部１６は、赤外線通信、Bluetooth通信、光通信を行うためのインタフェースを搭載する。これにより、携帯端末１Ａの近距離通信部１６と携帯端末１Ｂの近距離通信部１６との間で赤外線通信、Bluetooth通信、光通信を行うことによりデータや情報の送受信を行うことができる。
【００２６】
管理部１７は、トルカデータとこのトルカデータに関連する情報とを組み合わせてカスタマイズされたトルカデータを作成する。すなわち、管理部１７は、放送メモリ１８に格納されたトルカデータあるいはトルカ用メモリ１９に格納されたトルカデータと、情報サーバ８から取得した情報とを組み合わせてカスタマイズしたトルカデータを作成する。そして、管理部１７は、カスタマイズされたトルカデータをトルカメモリ１９に格納する。
【００２７】
管理部１７においては、ワンセグ放送で配信されるトルカデータや店舗側端末５で取得したトルカデータに関連する情報を組み合わせてカスタマイズする。例えば、ワンセグ放送で配信されるトルカデータは、ワンセグ放送で放送された番組の内容に関連するトルカデータであり、店舗側端末５で取得したトルカデータは、その店舗に関連するトルカデータである。この場合、トルカデータに関連する情報は、ユーザが情報サーバ８から取得する。例えば、ワンセグ放送で料理番組を放送している場合には、その料理番組で紹介された料理を提供するレストランのトルカデータや、その料理番組で使用されている食器類を提供する店舗のトルカデータが配信される。このとき、ユーザは、レストランや店舗の地図情報や、これらのレストランや店舗の口コミ情報などを情報サーバ８から取得する。そして、管理部１７は、トルカデータと取得した情報とを所定のレイアウトで組み合わせてカスタマイズされたトルカデータを作成する。
【００２８】
すなわち、携帯端末１Ａのユーザはトルカデータの受け渡し先のユーザに適合するような情報を取得し、管理部１７が、受け渡し先のユーザに適合するようにトルカデータをカスタマイズする。具体的には、ワンセグ放送で料理番組を放送している際に、携帯端末１Ａがレストランのトルカデータを受信した場合、このトルカデータを別の携帯端末の１Ｂに渡すとき、携帯端末１Ｂのユーザに適合する情報を情報サーバ８から取得して、この情報をレストランのトルカデータに追加してカスタマイズする。例えば、携帯端末１Ａのユーザが東京に在住しており、携帯端末１Ｂのユーザが大阪に在住している場合に、携帯端末１Ａのユーザが携帯端末１Ｂのユーザにレストランのトルカデータをメールで送信するときに、携帯端末１Ａのユーザは、情報サーバ８からトルカデータで紹介するレストランを紹介する番組の情報（放送日時や放送局）を取得して、トルカデータに追加してカスタマイズする。このとき、このレストランを紹介する番組であっても、東京と大阪では放送する放送局が異なるので、放送時間やチャンネルが異なる。したがって、携帯端末１Ａのユーザは、情報サーバ８からこのレストランを紹介する番組を放送する大阪の放送局の放送日時やチャンネルを取得して、管理部１７によりトルカデータに組み合わせる。
【００２９】
また、携帯端末１Ａがワンセグ放送に対応している端末であり、携帯端末１Ｂがワンセグ放送に対応していない端末である場合に、携帯端末１Ａのユーザが携帯端末１Ｂのユーザにレストランのトルカデータをメールで送信するときに、携帯端末１Ａのユーザは、情報サーバ８からトルカデータで紹介するレストランを紹介する番組のサイトにアクセスできる情報（ＵＲＬなど）を取得して、トルカデータに追加してカスタマイズする。
【００３０】
このように、トルカデータの受け渡し先のユーザに適合する情報、すなわち、トルカデータの送り元のユーザの状況（エリア、端末機能）と、トルカデータの送り先のユーザの状況（エリア、端末機能）とが異なる場合に、両者の違いを許容、修正する情報を情報サーバ８から取得し、この情報をトルカデータに組み合わせてカスタマイズする。これにより、取得したトルカデータを受け渡し先のユーザの状況、例えばエリアや端末機能に適合したトルカデータとすることができ、トルカデータを受け取るユーザに対してユーザフレンドリーなトルカデータを提供することが可能となる。
【００３１】
なお、本実施の形態においては、情報サーバ８からユーザの状況（エリア、端末機能）の違いを許容、修正する情報を取得して、トルカデータと組み合わせる場合について説明しているが、情報サーバ８から取得した情報に対して、ユーザの状況（エリア、端末機能）の違いを許容、修正するように変換処理を行い、変換された情報をトルカデータに組み合わせてカスタマイズするようにしても良い。例えば、上記のケースにおいて、レストランを紹介する番組を放送する東京の放送局の放送時間やチャンネルを取得して、大阪の放送局の放送時間やチャンネルに変換して、トルカデータに組み合わせるようにしても良い。なお、このような変換処理は、情報サーバ８、移動通信センター３、携帯端末１Ａ，１Ｂのいずれで行っても良い。
【００３２】
また、ここでは、情報サーバ８が一つである場合について説明しているが、複数の情報サーバから情報を取得しても良い。この場合、受け渡し先のユーザ毎に取得するサイトをあらかじめ特定しておくことにより、受け渡し先のユーザの嗜好に適合した形のカスタマイズを行うことが可能となる。また、ここでは、ワンセグ放送に含まれるトルカデータに対して、その関連した情報を取得してカスタマイズする場合について説明しているが、本発明においては、店舗側端末５から取得したトルカデータについても、同様にその関連した情報を取得してカスタマイズすることもできる。
【００３３】
一つのトルカデータに対しては、種々の情報を組み合わせてカスタマイズすることができるので、受け渡し先の個々のユーザの嗜好や属性（時間、場所）に応じて個別にカスタマイズをすることができる。例えば、レストランのトルカデータに追加する情報である場合、午前中にトルカデータを送る場合には、情報サーバ８からランチタイム用クーポンを取得し、このランチタイム用クーポンをトルカデータに組み合わせ、夕方にトルカデータを送る場合には、情報サーバ８からディナータイム用クーポンを取得し、このディナータイム用クーポンをトルカデータに組み合わせる。このように、本実施の形態によれば、トルカデータのような広告情報について、配信先や転送先のユーザが利用し易いように、ユーザに適合した形にカスタマイズすることができる。
【００３４】
放送用メモリ１８は、放送局１０から放送されたワンセグ放送データが受信された際に、ワンセグ放送データに含まれるトルカデータを一旦格納する。トルカ用メモリ１９は、管理部１７でカスタマイズされたトルカデータを格納する。また、トルカ用メモリ１９には、店舗側端末５のＲ／Ｗ５１から直接受信したトルカデータや、移動通信網２及びインターネット４経由で取得したトルカデータを格納する。
【００３５】
トルカデータは、簡易データ（スニップデータ）と、簡易データよりも詳細な情報を含むデータを本体データとを含む。携帯端末１Ａ，１Ｂのメモリ容量を考慮して、放送局９からのワンセグ放送データに含まれるトルカデータや、店舗側端末５のＲ／Ｗ５１から取得するトルカデータには簡易データを用いる。簡易データには、対応する本体データのトルカコンテンツサーバ７のアドレス情報（ＵＲＬ）が含まれているので、ユーザは、簡易データを取得した後に、簡易データに含まれるＵＲＬにアクセスすることにより、本体データをダウンロードすることができる。この本体データは、トルカ用メモリ１９に格納される。
【００３６】
次に、本発明の実施の形態に係る広告情報カスタマイズ方法について図３から図６を用いて説明する。本発明に係る広告情報カスタマイズ方法においては、ワンセグ放送に含まれるトルカデータを放送用メモリ１８に格納し、情報サーバ８からトルカデータに関連する情報を受信し、トルカデータと前記情報とを組み合わせてカスタマイズされたトルカデータを作成する。あるいは、店舗側端末５からトルカデータを非接触通信により取得し、情報サーバ８からトルカデータに関連する情報を受信し、トルカデータと前記情報とを組み合わせてカスタマイズされたトルカデータを作成する。
【００３７】
まず、放送会社９からのワンセグ放送データが放送局１０を介して放送される。このワンセグ放送データは、ワンセグ放送対応の携帯端末１Ａで受信される（ＳＴ１１）。すなわち、ワンセグ放送データは、携帯端末１Ａの通信制御部１２を介して受信され、表示部１３で表示される。このワンセグ放送データには、トルカデータが含まれており、このトルカデータは、同様に通信制御部１２で受信されて、放送用メモリ１８に格納される。すなわち、ワンセグ放送を受信する場合には、アプリ制御部１４によりワンセグ放送用アプリケーションが起動しており、ワンセグ放送受信の際にトルカデータを受信して、トルカデータを放送用メモリ１８に格納する（ＳＴ１２）。
【００３８】
次いで、通信制御部１２は、ユーザの操作により情報サーバ８から上記トルカデータに関連する情報をダウンロードする（ＳＴ１３）。すなわち、情報サーバ８から情報をダウンロードする場合には、アプリ制御部１４により情報ダウンロードアプリケーションが起動しており、情報サーバ８の所定のアドレスにアクセスして情報をダウンロードし、携帯端末１Ａに格納する。
【００３９】
次いで、管理部１７は、放送用メモリ１８に格納されたトルカデータに情報サーバ８からダウンロードした情報を組み合わせてカスタマイズする（ＳＴ１４）。例えば、図４（ａ）に示すように、レストランのトルカデータ２１に情報サーバ８から取得したレストランを紹介する番組の番組情報２２を追加してカスタマイズする。図４（ａ）に示す番組情報は東京の放送局の情報であるので、受け渡し先のユーザが大阪在住の場合には、図４（ｂ）に示すように、大阪の放送局の番組情報２３をトルカデータ２１に追加する。あるいは、東京の放送局の番組情報を大阪の放送局の番組情報に変換してトルカデータ２１に追加してカスタマイズする。
【００４０】
また、図５（ａ）に示すように、レストランのトルカデータ２１に情報サーバ８から取得したレストランを紹介する番組の番組情報２２を追加する。このとき、トルカデータを受け渡すユーザの携帯端末がワンセグ放送に対応していない端末である場合には、図５（ｂ）に示すように、レストランを紹介する番組の番組サイトの情報２４をトルカデータ２１に追加してカスタマイズする。あるいは、東京の放送局の番組情報を大阪の放送局の番組情報に変換してトルカデータ２１に追加してカスタマイズする。さらに、図６に示すように、レストランのトルカデータ２１に口コミ情報や地図情報２５の複数の追加情報を追加してカスタマイズする。
【００４１】
このようにしてカスタマイズされたトルカデータは、表示部１３により図４から図６に示すように表示される。また、カスタマイズされたトルカ用メモリ１９に格納される（ＳＴ１５）。トルカ用メモリ１９に格納されたトルカデータは、携帯端末１Ａから携帯端末１Ｂに送信される（ＳＴ１６）。このとき、携帯端末１Ａから携帯端末１Ｂへのトルカデータの送信は、通信制御部１２により電子メールで行っても良く、非接触通信部１５によりFeliCa機能を利用した非接触通信で行っても良く、近距離通信部１６により赤外線通信、Bluetooth通信、光通信のようは近距離通信で行っても良い。
【００４２】
カスタマイズされたトルカデータを受信した携帯端末１Ｂでは、店舗側端末５のＲ／Ｗ５１との間のFeliCa機能を用いた非接触通信によりトルカを利用する（ＳＴ１７）。このとき、店舗側端末５では、トルカの利用と共に、決済会社６との間で決済処理がなされる（ＳＴ１８）。
【００４３】
また、トルカデータは、店舗側端末５から取得することができる（ＳＴ１９）。この場合においても、ユーザの操作により情報サーバ８から上記トルカデータに関連する情報をダウンロードし（ＳＴ１３）、管理部１７が、放送用メモリ１８に格納されたトルカデータに情報サーバ８からダウンロードした情報を組み合わせてカスタマイズする（ＳＴ１４）。そして、カスタマイズされたトルカデータが携帯端末１Ｂに送信された後に（ＳＴ１６）、店舗側端末５で利用される（ＳＴ１７）。
【００４４】
このように、本発明によれば、一つのトルカデータに対して、種々の情報を組み合わせてカスタマイズすることができるので、受け渡し先の個々のユーザの嗜好や属性（時間、場所）に応じて個別にカスタマイズをすることができる。その結果、トルカデータを受け取るユーザに対してユーザフレンドリーなトルカデータを提供することが可能となる。
【００４５】
本発明は上記実施の形態に限定されず、種々変更して実施することが可能である。例えば、上記実施の形態においては、非接触ＩＣカード機能用広告情報がトルカデータである場合について説明しているが、本発明においては、非接触ＩＣカード機能用広告情報がトルカデータ以外のデータであっても同様に適用することができる。また、本発明の範囲を逸脱しない限りにおいて、処理部や処理手順については適宜変更して実施することが可能である。その他、本発明の範囲を逸脱しないで適宜変更して実施することが可能である。
【図面の簡単な説明】
【００４６】
【図１】本発明の実施の形態に係る携帯端末装置を備えたシステムの概略構成を示す図である。
【図２】図１に示すシステムにおける携帯端末装置の概略構成を示すブロック図である。
【図３】本発明の実施の形態に係る広告情報カスタマイズ方法を説明するためのシーケンス図である。
【図４】（ａ），（ｂ）は、カスタマイズされた広告情報を示す図である。
【図５】（ａ），（ｂ）は、カスタマイズされた広告情報を示す図である。
【図６】カスタマイズされた広告情報を示す図である。
【符号の説明】
【００４７】
１Ａ，１Ｂ  携帯端末
２  移動通信網
３  移動通信センター
４  インターネット
５  店舗側端末
６  決済会社
７  トルカコンテンツサーバ
８  情報サーバ
９  放送会社
１０  放送局
１１  制御部
１２  通信制御部
１３  表示部
１４  アプリ制御部
１５  非接触通信部
１６  近距離通信部
１７  管理部
１８  放送用メモリ
１９  トルカ用メモリ
２１  トルカデータ
２２，２３，２４，２５  情報
【図１】
2008065415.tif 000003
【図２】
2008065415.tif 000004
【図３】
2008065415.tif 000005
【図４】
2008065415.tif 000006
【図５】
2008065415.tif 000007
【図６】
2008065415.tif 000008